(57)【要約】【課題】放送局が提供するすべての番組を記憶する記憶媒体を自動整理することの可能な放送受信装置および放送受信方法を提供すること。【解決手段】放送受信装置１０００は、すべての番組を記憶する録画番組コンテンツ記憶手段１０５０と、録画番組コンテンツに対するユーザの評価値を記憶する評価値記憶手段１０５０と、録画番組コンテンツに対するユーザの視聴要求、非視聴要求、削除要求、および非削除要求のうちの少なくとも１つの入力をユーザ要求として受け付けるユーザ要求入力手段１０３０と、ユーザ要求に応じた所定の割合で評価値を変動する評価値変動手段１０４０と、評価値の大きさに応じて録画番組コンテンツ記憶手段１０５０から録画番組コンテンツを削除する整理手段１０４０と、を備える。【選択図】図１
2010103936.tif 000002
【特許請求の範囲】
【請求項１】
所定の放送波に含まれる複数の番組コンテンツのすべてを取得する番組コンテンツ取得手段と、
前記番組コンテンツを録画番組コンテンツとして記憶する録画番組コンテンツ記憶手段と、
前記録画番組コンテンツに対するユーザの評価値を設定する評価値設定手段と、
前記評価値を記憶する評価値記憶手段と、
前記録画番組コンテンツに対するユーザの視聴要求、非視聴要求、削除要求、および非削除要求のうちの少なくとも１つの入力をユーザ要求として受け付けるユーザ要求入力手段と、
前記ユーザ要求に応じた所定の割合で前記評価値を変動する評価値変動手段と、
前記評価値の大きさに応じて前記録画番組コンテンツ記憶手段から録画番組コンテンツを削除することによって前記録画番組コンテンツ記憶手段を整理する整理手段と、
を備えることを特徴とする放送受信装置。
【請求項２】
録画番組コンテンツ予備記憶手段をさらに備え、
前記整理手段は、前記録画番組コンテンツのうちの任意の録画番組コンテンツの評価値が、所定の評価値よりも高い場合、前記録画番組コンテンツ予備記憶手段に当該録画番組コンテンツを移動して記憶させることによって、前記録画番組コンテンツ記憶手段を整理することを特徴とする請求項１に記載の放送受信装置。
【請求項３】
前記整理手段は、前記録画番組コンテンツのうちの任意の録画番組コンテンツの評価値が、所定の評価値よりも低い場合、当該録画番組コンテンツを前記録画番組コンテンツ記憶手段から削除することを特徴とする請求項１または２に記載の放送受信装置。
【請求項４】
前記評価値記憶手段は、前記録画番組コンテンツに対する複数のユーザの評価値を記憶することを特徴とする請求項１に記載の放送受信装置。
【請求項５】
録画番組コンテンツ予備記憶手段をさらに備え
前記整理手段は、前記録画番組コンテンツのうちの任意の録画番組コンテンツに対する前記複数のユーザのうちの少なくとも１人のユーザの評価値が、所定の評価値よりも高い場合、前記録画番組コンテンツ予備記憶手段に当該録画番組コンテンツを移動して記憶させることによって、前記録画番組コンテンツ記憶手段を整理することを特徴とする請求項４に記載の放送受信装置。
【請求項６】
前記整理手段は、前記録画番組コンテンツのうちの任意の録画番組コンテンツに対する前記複数のユーザのうちの少なくとも１人のユーザの評価値が、所定の評価値よりも低い場合、当該録画番組コンテンツを前記録画番組コンテンツ記憶手段から削除することを特徴とする請求項４または５に記載の放送受信装置。
【請求項７】
前記整理手段は、各録画番組コンテンツに対する前記複数のユーザの評価値の平均値を算出し、算出された前記平均値のうち、最も低い平均値に対応する録画番組コンテンツを前記録画番組コンテンツ記憶手段から削除することを特徴とする請求項４〜６のうちいずれか一項に記載の放送受信装置。
【請求項８】
前記録画番組コンテンツに対するユーザの視聴要求に応じて当該録画番組コンテンツを再生する録画番組コンテンツ再生手段と、
再生される前記録画番組コンテンツを表示する表示手段と、
をさらに備えることを特徴とする請求項１〜７のうちいずれか一項に記載の放送受信装置。
【請求項９】
放送受信装置で実行される放送受信方法であって、
前記放送受信装置は、録画番組コンテンツを記憶する録画番組コンテンツ記憶手段と、前記録画番組コンテンツに対するユーザの評価値を記憶する評価値記憶手段と、番組コンテンツ取得手段と、評価値設定手段と、ユーザ要求入力手段と、評価値変動手段と、整理手段と、を備え、
前記番組コンテンツ取得手段が、所定の放送波に含まれる複数の番組コンテンツのすべてを取得し、取得された前記番組コンテンツを録画番組コンテンツとして前記録画番組コンテンツ記憶手段に記憶させる工程と、
前記評価値設定手段が、前記評価値記憶手段に記憶される評価値を設定する工程と、
前記ユーザ要求入力手段が、前記録画番組コンテンツ記憶手段に記憶される録画番組コンテンツに対するユーザの視聴要求、非視聴要求、削除要求、および非削除要求のうちの少なくとも１つの入力をユーザ要求として受け付ける工程と、
前記評価値変動手段が、前記ユーザ要求に応じた所定の割合で前記評価値を変動する工程と、
前記整理手段が、前記評価値の大きさに応じて前記録画番組コンテンツ記憶手段から録画番組コンテンツを削除することによって前記録画番組コンテンツ記憶手段を整理する工程と、
を含むことを特徴とする放送受信方法。
【発明の詳細な説明】
【技術分野】
【０００１】
本発明は、録画された番組を自動で整理する放送受信装置および放送受信方法に関する。
【背景技術】
【０００２】
近年、地上デジタル放送やＢＳ放送などを利用して放送局が提供する番組を内蔵型記憶媒体やＵＳＢハードディスクなどの外付け記憶媒体に録画することの可能なデジタルテレビなどの放送端末装置が広く普及している。そのような放送端末装置では、放送中の複数の番組のうちの任意の番組をユーザの嗜好性に基づいて選択的に自動録画している（例えば、特許文献１を参照）。
【０００３】
【特許文献１】特開２００１−８６４２０号公報
【発明の開示】
【発明が解決しようとする課題】
【０００４】
しかしながら、従来の放送端末装置では、番組に対するユーザの嗜好性を適切に判断できなかった場合、録画漏れが生じる可能性がある。なお、そのような番組の録画漏れは、すべての放送局が提供する番組のすべてを録画することによって防止することが可能である。しかしながら、内蔵型記憶媒体の容量には限りがあるため、膨大な量の番組を録画する場合、任意の番組を削除するなど、手動で内蔵型記憶媒体を整理して容量を確保する必要があり、ユーザの負担を招来する。
【０００５】
本発明は、上記に鑑みてなされたものであって、放送局が提供するすべての番組を自動録画する記憶媒体を自動整理することの可能な放送受信装置および放送受信方法に関する。
【課題を解決するための手段】
【０００６】
上述した課題を解決し、目的を達成するために、本発明は、所定の放送波に含まれる複数の番組コンテンツのすべてを取得する番組コンテンツ取得手段と、前記番組コンテンツを録画番組コンテンツとして記憶する録画番組コンテンツ記憶手段と、前記録画番組コンテンツに対するユーザの評価値を設定する評価値設定手段と、前記評価値を記憶する評価値記憶手段と、前記録画番組コンテンツに対するユーザの視聴要求、非視聴要求、削除要求、および非削除要求のうちの少なくとも１つの入力をユーザ要求として受け付けるユーザ要求入力手段と、前記ユーザ要求に応じた所定の割合で前記評価値を変動する評価値変動手段と、前記評価値の大きさに応じて前記録画番組コンテンツ記憶手段から録画番組コンテンツを削除することによって前記録画番組コンテンツ記憶手段を整理する整理手段と、を備えることを特徴とする放送受信装置を提供する。
【０００７】
また、本発明は、放送受信装置で実行される放送受信方法であって、前記放送受信装置は、録画番組コンテンツを記憶する録画番組コンテンツ記憶手段と、前記録画番組コンテンツに対するユーザの評価値を記憶する評価値記憶手段と、番組コンテンツ取得手段と、評価値設定手段と、ユーザ要求入力手段と、評価値変動手段と、整理手段と、を備え、前記番組コンテンツ取得手段が、所定の放送波に含まれる複数の番組コンテンツのすべてを取得し、取得された前記番組コンテンツを録画番組コンテンツとして前記録画番組コンテンツ記憶手段に記憶させる工程と、前記評価値設定手段が、前記評価値記憶手段に記憶される評価値を設定する工程と、前記ユーザ要求入力手段が、前記録画番組コンテンツ記憶手段に記憶される録画番組コンテンツに対するユーザの視聴要求、非視聴要求、削除要求、および非削除要求のうちの少なくとも１つの入力をユーザ要求として受け付ける工程と、前記評価値変動手段が、前記ユーザ要求に応じた所定の割合で前記評価値を変動する工程と、前記整理手段が、前記評価値の大きさに応じて前記録画番組コンテンツ記憶手段から録画番組コンテンツを削除することによって前記録画番組コンテンツ記憶手段を整理する工程と、を含むことを特徴とする放送受信方法を提供する。
【発明の効果】
【０００８】
本発明によれば、録画番組を記憶媒体から手動で削除または他の記録媒体へ移動させて記憶媒体を整理するといったユーザの負担を軽減することができると共に、ユーザが嗜好する録画番組を記憶媒体に残すことができるという効果を奏する。
【発明を実施するための最良の形態】
【０００９】
以下に添付図面を参照して、この発明にかかる放送受信装置および放送受信方法の最良な実施の形態を詳細に説明する。
【００１０】
（第１の実施の形態）
本発明の第１の実施の形態を図１〜図１０に基づいて説明する。なお、本実施の形態では、放送受信装置を適用した例として、地上デジタル放送を受信するデジタルテレビを説明する。
【００１１】
図１は、本発明の第１の実施の形態にかかる放送受信装置の構成を概略的に示すブロック図である。放送受信装置１０００は、ＴＶチューナ１０１０と、ＤＥＭＵＸ（Ｄｅｍｕｌｔｉｐｌｅｘ）部１０２０と、リモコン受信部１０３０と、データ処理部１０４０と、内蔵型ＨＤ（Ｈａｒｄ  Ｄｉｓｋ）１０５０と、ＵＳＢインタフェース１０６０と、復号化部１０７０と、表示部１０８０と、スピーカ１０９０と、を備える。
【００１２】
ＴＶチューナ１０１０は、図示しないアンテナに接続されており、例えばユーザからの要求に応じて任意の放送局に周波数を合わせることによって、放送局が地上デジタル放送などを利用して放送中の番組コンテンツ（以下、単に番組と称する）を取得し、取得された番組をＤＥＭＵＸ部１０２０に出力する。なお、ここでいう番組とは、少なくとも映像情報と、映像情報に関連付けられている音声情報と、番組の概要を示す番組情報を含むデータ情報とから構成されるものをいう。
【００１３】
ＤＥＭＵＸ部１０２０は、ＴＶチューナ１０１０が取得した番組を、映像情報、音声情報、およびデータ情報に分離し、データ処理部１０４０に出力する。
【００１４】
リモコン受信部１０３０は、後述する内蔵型ＨＤ１０５０に記憶されている番組（以下、録画番組と称する）の視聴や削除といったユーザからの各種要求を図示しないＴＶリモコンを介して受信し、受信したユーザ要求をデータ処理部１０４０へ出力する。
【００１５】
データ処理部１０４０は、ＤＥＭＵＸ部１０２０から出力される映像情報、音声情報、およびデータ情報を番組毎に内蔵型ＨＤ１０５０に順次記憶させる。また、データ処理部１０４０は、内蔵型ＨＤ１０５０に記憶されている録画番組を、ユーザからの視聴要求に応じて適時読み出して復号化部１０７０へ出力する。さらに、データ処理部１０４０は、後述するように、内蔵型ＨＤ１０４０に記憶されている録画番組の整理を行う。なお、データ処理部１０４０は、ＴＶチューナ１０１０によって受信される番組のすべてを自動的に内蔵型ＨＤ１０５０に記憶させている。
【００１６】
内蔵型ＨＤ１０５０は、内蔵型記憶媒体であり、ＴＶチューナ１０１０が取得した番組のすべてを録画番組として記憶するものである。以下において、図２を参照して、内蔵型ＨＤ１０５０の具体的な構成について説明する。図２は、内蔵型ＨＤの内部構成を概略的に示すブロック図である。内蔵型ＨＤ１０５０は、映像情報および音声情報を番組毎に記憶する録画番組記憶部１０５１と、データ情報を記憶する録画番組情報記憶部１０５２と、後述する評価値を記憶する評価値記憶部１０５３と、後述するお気に入り情報を記憶するお気に入り情報記憶部１０５４と、後述するユーザ情報を記憶するユーザ情報記憶部１０５５と、から構成されている。
【００１７】
内蔵型ＨＤ１０５０は、映像情報および音声情報と、録画番組情報と、評価値と、お気に入り情報と、ユーザ情報とを、番組毎に互いに関連付けて記憶する。より具体的には、内蔵型ＨＤ１０５０は、映像情報などを例えば図３に示されるような態様で記憶しており、内蔵型ＨＤ１０５０を参照することによって、例えば番組１に対するユーザＡの評価値およびお気に入り情報を把握することが可能である。
【００１８】
ＵＳＢインタフェース１０６０は、例えばＵＳＢハードディスクなどの図示しない外部記憶媒体に接続されるものであって、後述するように、内蔵型ＨＤ１０５０に記憶されている録画番組の整理を行う際に用いられるものである。
【００１９】
復号化部１０７０は、データ処理部１０４０によって内蔵型ＨＤ１０５０から読み出された録画番組を復号し、復号された録画番組を表示部１０８０およびスピーカ１０９０へ出力する。より具体的には、復号化部１０７０は、データ処理部１０４０によって録画番組記憶部１０５１から読み出される映像情報を復号して表示部１０８０へ出力すると共に、音声情報を復号してスピーカ１０９０へ出力する。なお、復号化部１０７０は、図示しないＤＳＭＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）部などを有しており、必要に応じて、録画番組情報記憶部１０５２から読み出されるデータ情報を復号し、その情報を表示部１０８０および／またはスピーカ１０９０へ出力する。
【００２０】
表示部１０８０は、例えばＬＣＤ（Ｌｉｑｕｉｄ  Ｃｒｙｓｔａｌ  Ｄｉｓｐｌａｙ）であって、復号化部１０７０から出力される映像情報に対応する映像を表示する。また、スピーカ１０９０は、復号化部１０７０から出力される音声情報に対応する音声を再生する。なお、上述のように、表示部１０８０およびスピーカ１０９０は、必要に応じてデータ情報に基づいた情報を表示および／または再生する。
【００２１】
次に、データ処理部１０４０による評価値設定処理について図４を参照して説明する。図４は、評価値設定処理を示すフローチャートである。
【００２２】
まず、データ処理部１０４０は、放送局が提供する番組の入力を受け付けると、その番組の自動録画と同時に、その番組情報を参照する（ステップＳ１０１）。次に、データ処理部１０４０は、番組情報記憶部１０５２に記憶されている過去に録画された録画番組の録画番組情報を参照する（ステップＳ１０２）。
【００２３】
次に、データ処理部１０４０は、ステップＳ１０１において参照された番組情報と同一の録画番組情報が録画番組情報記憶部１０５２に記憶されているか否かを判断する（ステップＳ１０３）。その結果、データ処理部１０４０は、参照された番組情報と同一の録画番組情報が録画番組情報記憶部１０５２に格納されていないと判断した場合（ステップＳ１０３−Ｎｏ）、換言すると、録画中の番組と同一の録画番組が過去において録画されていなかった場合、録画中の番組の評価値を所定の初期値に設定し、その評価値を録画中の番組に関連付けて評価値記憶部１０５３に格納し（ステップＳ１０４）、評価値設定処理を終了する。なお、ここでいう初期値とは、例えば放送受信装置１０００の製造時において予め定められた値である。
【００２４】
一方、データ処理部１０４０は、ステップＳ１０３の結果、取得された番組情報と同一の番組情報が番組情報記憶部１０５２に記憶されていると判断した場合（ステップＳ１０３−Ｙｅｓ）、換言すると、録画中の番組と同一の番組が過去において録画されていた場合、参照された録画番組情報に関連付けられている評価値を評価値記憶部１０５３から読み出す（ステップＳ１０５）。そして、データ処理部１０４０は、読み出された評価値を、録画中の番組の評価値として録画中の番組に関連付けて評価値記憶部１０５３に記憶する（ステップＳ１０６）。これにより、評価値設定処理を終了する。
【００２５】
上述の評価値設定処理によって、放送受信装置１０００は、自動録画される番組のそれぞれについて評価値を付与することが可能となる。
【００２６】
次に、図５を参照して、データ処理部１０４０による評価値変動処理について説明する。図５は、評価値変動処理を示すフローチャートである。
【００２７】
まず、データ処理部１０４０は、リモコン受信部１０３０を介してユーザから録画番組の視聴要求の入力を受け付けると、番組情報記憶部１０５２に格納されているすべての録画番組の番組情報から番組情報一覧表を生成し、復号化部１０７０を介して表示部１０８０に表示させる（ステップＳ２０１）。
【００２８】
次に、データ処理部１０４０は、録画番組の視聴要求を行ったユーザの認証を行う（ステップＳ２０２）。なお、ユーザは、ユーザＩＤおよびパスワードや、自身の指紋などのユーザ情報を、図示しないＴＶリモコンなどを利用して事前に登録しており、それらのユーザ情報は、ユーザ情報記憶部１０５５に記憶されている。よって、データ処理部１０４０は、ステップＳ２０２の処理において、例えばユーザにユーザＩＤおよびパスワードの入力を要求し、ユーザ情報記憶部１０５５を参照してユーザ情報の認証を行っている。なお、事前に初期登録されるユーザ情報は、各番組に対応付けられてユーザ情報記憶部１０５５に記憶される。より具体的には、ユーザ情報は、録画番組と、録画番組情報と、評価値と、お気に入り情報と、に関連付けられて記憶される。ここで、初期登録されるユーザの嗜好性は現時点においては不確定であることから、その評価値は初期値に設定される。
【００２９】
次に、データ処理部１０４０は、ユーザによって任意の録画番組が選択されたか否かを判断する（ステップＳ２０３）。その結果、データ処理部１０４０は、任意の録画番組が選択されていなかった場合（ステップＳ２０３−Ｎｏ）、選択されるまでステップＳ２０３の処理を繰り返す一方、録画番組が選択されたと判断した場合（ステップＳ２０３−Ｙｅｓ）、選択された録画番組（以下、選択番組と称する）および認証されたユーザのユーザ情報に関連付けられている評価値を評価値記憶部１０５３から読み出す（ステップＳ２０４）。
【００３０】
次に、データ処理部１０４０は、ユーザが選択番組の視聴を要求したか否かを判断する（ステップＳ２０５）。その結果、データ処理部１０４０は、ユーザが選択番組の視聴を要求していないと判断した場合（ステップＳ２０５−Ｎｏ）、後述するステップＳ２０６の処理を行う一方、選択番組の視聴を要求していると判断した場合（ステップＳ２０５−Ｙｅｓ）、選択番組に関連付けられている映像情報および音声情報を録画番組記憶部１０５１から読み出して選択番組を再生する（ステップＳ２０７）。
【００３１】
次に、データ処理部１０４０は、選択番組の再生が終了すると、ユーザが選択番組の削除を要求したか否かを判断する（ステップＳ２０８）。その結果、データ処理部１０４０は、認証ユーザが再生番組の削除を要求していないと判断した場合（ステップＳ２０８−Ｎｏ）、選択番組とユーザ情報とに関連付けられている評価値の値に所定値（例えば３０）を加算し（ステップＳ２０９）、後述する保存処理へ移行する。一方、データ処理部１０４０は、認証ユーザが選択番組の削除を要求していると判断した場合（ステップＳ２０８−Ｙｅｓ）、選択番組とユーザ情報とに関連付けられている評価値の値に所定値（例えば２０）を加算し（ステップＳ２１０）、後述する削除処理へ移行する。
【００３２】
一方、データ処理部１０４０は、ステップＳ２０５の結果、ユーザが選択番組の視聴を要求していないと判断した場合（ステップＳ２０５−Ｎｏ）、ユーザが選択番組の削除を要求しているか否かを判断する（ステップＳ２０６）。その結果、データ処理部１０４０は、ユーザが選択番組の削除を要求していないと判断した場合（ステップＳ２０６−Ｎｏ）、選択番組とユーザ情報とに関連付けられている評価値に所定値（例えば１０）を加算し（ステップＳ２１１）、後述する保存処理へ移行する。一方、データ処理部１０４０は、ユーザが選択番組の削除を要求していると判断した場合（ステップＳ２０６−Ｙｅｓ）、選択番組とユーザ情報とに関連付けられている評価値から所定値（例えば１０）減算し（ステップＳ２１２）、後述する削除処理へ移行する。
【００３３】
上述の評価値変動処理により、選択番組に対するユーザの視聴要求および／または削除要求に基づいて、評価値を変動することが可能となる。なお、ここでいう評価値とは、録画番組に対するユーザの嗜好性を示す嗜好度であって、評価値変動処理に基づいて変動する値のことをいう。この評価値について、図６を参照してより具体的に説明する。図６は、４通りのユーザの要求に応じて評価値に加算または減算される所定値を示す図であり、評価値変動処理におけるステップＳ２０９、Ｓ２１０、およびＳ２１１に示される加算値またはステップＳ２１２における減算値に対応するものである。
【００３４】
通常、ユーザが任意の録画番組の視聴を要求し、且つ保存を要求した場合、ユーザは録画番組を視聴した後でもう一度視聴したいと考えており、録画番組はユーザの好みの番組であると推測される。よって、図６に示されるように、録画番組を視聴した後で保存する場合、その所定値は最も高く設定される。次に、ユーザが任意の録画番組の視聴を要求し、且つ削除を要求した場合、ユーザは録画番組を視聴しているが、一度視聴すれば十分であると考慮していると推測される。よって、図６に示されるように、録画番組を視聴した後で削除する場合、その所定値は録画番組を視聴した後で保存する場合と比較して低く設定される。さらに、ユーザが任意の録画番組の視聴せずに保存を要求した場合、ユーザは後ほど録画番組を視聴する予定があるものと推測される。よって、図６に示されるように、録画番組を視聴せずに保存する場合、その所定値は録画番組を視聴した後で削除する場合と比較して低く設定される。さらに、ユーザが任意の録画番組を視聴せずに削除を要求した場合、ユーザにとって録画番組がお気に入りであるとは言いがたいものと推測される。よって、図６に示されるように、録画番組を視聴せずに削除する場合、その所定値は上述の３つの状況と比較して最も低く設定される。
【００３５】
次に、図７を参照して、上述の評価値変動処理においてユーザが選択番組の削除を要求しなかった場合において行われる保存処理について説明する。図７は、データ処理部１０４０による選択番組の保存処理を示すフローチャートである。
【００３６】
データ処理部１０４０は、評価値変動処理におけるステップＳ２０９またはＳ２１１の後、選択番組に関連付けられている評価値が所定の閾値以上であるか否かを判断する（ステップＳ３０１）。その結果、データ処理部１０４０は、評価値が所定の閾値未満であると判断した場合（ステップＳ３０１−Ｎｏ）、保存処理を終了する一方、評価値が所定の閾値以上であると判断した場合（ステップＳ３０１−Ｙｅｓ）、選択番組をお気に入り登録し（ステップＳ３０２）、保存処理を終了する。
【００３７】
上述の保存処理について図８を参照してより具体的に説明する。図８は、４通りのユーザの要求に応じて設定される評価値がお気に入り登録されるか否かを示す図である。なお、図８において、点線は過去の評価値を示し、実線は図６に示される所定値を示している。よって、点線で示されるベクトルと実線で示されるベクトルとのベクトル和が、過去の評価値に対する評価値変動処理の結果取得される評価値である。
【００３８】
本実施の形態では、評価値について所定の閾値を設け、その閾値以上の評価値に関連付けられている録画番組をユーザのお気に入りとして特定する。より具体的には、例えば図８に示されるように、評価値についてお気に入り登録となる所定の閾値を設定し、評価値変動処理の結果取得される現在の評価値がお気に入り登録となる閾値以上であった場合に、選択番組をお気に入りとして特定する。なお、ここでいうお気に入りの特定とは、お気に入り情報記憶部１０５４において、選択番組に関連付けられているお気に入り情報をお気に入り登録の状態（例えばフラッグを立てるなど）にすることである。
【００３９】
次に、上述の評価値変動処理においてユーザが選択番組の削除を要求した場合において行われる削除処理について説明する。図９は、データ処理部１０４０による削除処理のフローチャートである。
【００４０】
データ処理部１０４０は、評価値変動処理におけるステップＳ２１０またはＳ２１２の後、保存処理を行う（ステップＳ３０１およびＳ３０２）。次に、データ処理部１０４０は、選択番組について、認証されたユーザ以外の他のユーザの評価値を評価値記憶部１０５３から読み出す（ステップＳ４０１）。
【００４１】
次に、データ処理部１０４０は、読み出された他のすべてのユーザの評価値が初期値未満であるか否かを判断する（ステップＳ４０２）。その結果、データ処理部１０４０は、選択番組に関連付けられている他のすべてのユーザの評価値が初期値未満ではなかった場合（ステップＳ４０２−Ｎｏ）、表示部１０８０および／またはスピーカ１０９０に削除警告を表示および／または再生させる（ステップＳ４０３）。そして、データ処理部１０４０は、ユーザが選択番組の削除をさらに要求したか否かを判断し（ステップＳ４０４）、ユーザからの削除要求がないと判断された場合（ステップＳ４０４−Ｎｏ）、削除処理を終了する一方、削除要求があると判断された場合（ステップＳ４０４−Ｙｅｓ）、選択番組の削除を行う（ステップＳ４０５）。一方、データ処理部１０４０は、ステップＳ４０２の結果、評価値が初期値未満であると判断した場合にも（ステップＳ４０２−Ｙｅｓ）、ステップＳ４０５の処理を行う。
【００４２】
上述の削除処理によって、ユーザが選択番組の削除要求を行った場合にあっても、他のユーザがその選択番組を嗜好していた場合、その旨をユーザに喚起することが可能となる。
【００４３】
次に、データ処理部１０４０による内蔵型ＨＤ１０５０の番組整理処理について図１０を参照して説明する。図１０は、番組整理処理を示すフローチャートである。
【００４４】
データ処理部１０４０は、一定時間毎に内蔵型ＨＤ１０５０の残り容量を算出しており、内蔵型ＨＤ１０５０の残り容量が一定値以下になると、録画番組の整理を行うべく、各録画番組に対する全ユーザの評価値を評価値記憶部１０５３から読み出す（ステップＳ５０１）。
【００４５】
その後、データ処理部１０４０は、録画番組を記憶することが可能な外付けのＵＳＢハードディスクなどの他の記憶媒体があるか否かを判断する（ステップＳ５０２）。その結果、データ処理部１０４０は、他の記憶媒体がないと判断した場合（ステップＳ５０２−Ｎｏ）、後述するステップＳ５０３の処理を行う一方、他の記憶媒体があると判断した場合（ステップＳ５０２−Ｙｅｓ）、全ユーザ数であるｎ人のユーザがお気に入り登録している録画番組があるか否かを判断する（ステップＳ５０４）。
【００４６】
その結果、データ処理部１０４０は、ｎ人のユーザがお気に入り登録している番組がなかった場合（ステップＳ５０４−Ｎｏ）、ｎから１を減算して新たなｎを生成し（ステップＳ５０５）、ｎが０であるか否かを判断する（ステップＳ５０６）。そして、データ処理部１０４０は、ｎが０ではないと判断した場合（ステップＳ５０６−Ｎｏ）、ステップＳ５０４の処理を行う一方、ｎが０であると判断した場合（ステップＳ５０６−Ｙｅｓ）、後述するステップＳ５０３の処理を行う。より具体的には、ユーザ情報記憶部１０５５において例えば３人分のユーザ情報が記憶されていた場合、３人全てのユーザがお気に入り登録している録画番組があるか否かを判断し、そのような番組がなかった場合、３人のうちの２人全てのユーザがお気に入り登録している録画番組があるか否かを判断する。そして、お気に入り登録されている録画番組がなかった場合、同様の処理を０人になるまで繰り返す。
【００４７】
一方、データ処理部１０４０は、ステップＳ５０４の結果、ｎ人のユーザがお気に入り登録している録画番組があると判断した場合（ステップＳ５０４−Ｙｅｓ）、他の記憶媒体にその録画番組を移動し（ステップＳ５０７）、他の記憶媒体にその録画番組を記憶させる。そして、データ処理部１０４０は、再び内蔵型ＨＤ１０５０の残り容量を算出し（ステップＳ５０８）、算出された残りの容量が所定値以下であるか否かを判断する（ステップＳ５０９）。
【００４８】
その結果、データ処理部１０４０は、算出された残り容量が所定値以下ではないと判断した場合（ステップＳ５０９−Ｎｏ）、録画番組整理処理を終了する一方、残りの容量が所定値以下であると判断した場合（ステップＳ５０９−Ｙｅｓ）、ステップＳ５０５の処理を行う。
【００４９】
次に、ステップＳ５０３以降の処理について説明する。データ処理部１０４０は、ステップＳ５０２の結果、他の記録媒体がないと判断した場合（ステップＳ５０２−Ｎｏ）、またはステップＳ５０６の処理の結果、ｎが０であると判断した場合（ステップＳ５０６−Ｙｅｓ）、ｎ人のユーザに関連付けられている評価値のすべてが初期値未満であるか否かを判断する（ステップＳ５０３）。なお、ここでｎ人とは、ステップＳ５０５の処理によって減算された値ではなく、ユーザ情報記憶部１０５５に記憶されているユーザ情報に示される総ユーザ数のことをいう。換言すると、ステップＳ５０５において減算されたｎはステップＳ５０３の処理においてリセットされる。
【００５０】
データ処理部１０４０は、ステップＳ５０３の処理の結果、ｎ人のユーザの評価値が初期値未満ではないと判断した場合（ステップＳ５０３−Ｎｏ）、後述するステップＳ５１２の処理を行う一方、ｎ人のユーザの評価値が初期値未満であると判断した場合（ステップＳ５０３−Ｙｅｓ）、その評価値に関連付けられている録画番組のすべてを番組記憶部１０５１から削除する（ステップ５１０）。そして、データ処理部１０４０は、内蔵型ＨＤ１０５０の残りの容量が一定値以下であるか否かを判断し（ステップＳ５１１）、残りの容量が一定値以下ではないと判断した場合（ステップＳ５１１−Ｎｏ）、録画番組整理処理を終了する。
【００５１】
一方、データ処理部１０４０は、ステップＳ５１１の処理の結果、残りの容量が一定値以下であると判断した場合（ステップＳ５１１−Ｙｅｓ）、ステップＳ５０５およびＳ５０６と同様の処理、すなわちｎから１を減算し（ステップＳ５１２）、減算されたｎが０であるか否かを判断する（ステップＳ５１３）。その結果、データ処理部１０４０は、ｎが０ではなかった場合（ステップＳ５１３−Ｎｏ）、（ｎ−１）人について、ステップＳ５０３の処理を行う。
【００５２】
一方、データ処理部１０４０は、ｎが０であった場合（ステップＳ５１３−Ｙｅｓ）、録画番組毎に全てのユーザの評価値の平均値を算出する（ステップＳ５１４）。そして、算出された平均値を他の録画番組について算出された平均値と比較し（ステップＳ５１５）、平均値が最も低い録画番組を録画番組記憶部１０５１から削除する（ステップＳ５１６）。その後、データ処理部１０４０は、内蔵型ＨＤ１０５０の残りの容量が一定値以下であるか否かを判断し（ステップＳ５１７）、一定値以下ではないと判断した場合（ステップＳ５１７−Ｎｏ）、録画番組整理処理を終了する一方、一定値以下であると判断した場合（ステップＳ５１７−Ｙｅｓ）、ステップＳ５１５の処理を再度行う。
【００５３】
上述のように、本実施の形態の放送受信装置および放送受信方法では、ユーザの嗜好性に基づいて、放送局が提供する番組のすべてを記憶する内蔵型ＨＤに記憶される録画番組を適宜自動的に削除または他の記憶媒体に移動することによって、内蔵型ＨＤを整理している。これにより、録画漏れを防止するためにすべての番組を録画する場合にあっても、内蔵型ＨＤにおいて適切な残り容量を確保することが可能となる。
【００５４】
なお、本実施の形態の放送受信装置および放送受信方法では、任意の放送局が提供する番組のすべてを自動録画しているが、複数の放送局が提供する番組のすべてを自動録画しても良い。この場合、複数の放送局に周波数を合わせるようにＴＶチューナを構成すれば良い。
【００５５】
また、本実施の形態の放送受信装置および放送受信方法は、デジタル放送を利用して放送局が提供する番組を受信しているが、アナログ放送やＢＳ放送やＩＰ放送を利用して放送局が提供する番組を受信しても良い。
【００５６】
また、本実施の形態の放送受信装置および放送受信方法では、ユーザの要求に応じて、録画中の番組をリアルタイムで視聴することも可能である。
【図面の簡単な説明】
【００５７】
【図１】第１の実施の形態の放送受信装置の構成を概略的に示すブロック図である。
【図２】内蔵型ＨＤの内部構成を概略的に示すブロック図である。
【図３】内蔵型ＨＤに記憶されている情報間の関連付けを例示的に示す例示図である。
【図４】評価値付与処理を示すフローチャートである。
【図５】評価値変動処理を示すフローチャートである。
【図６】各種ユーザ要求に対応する所定値を例示的に示す例示図である。
【図７】保存処理を示すフローチャートである。
【図８】お気に入り登録される評価値を例示的に示す例示図である。
【図９】削除処理を示すフローチャートである。
【図１０】録画番組整理処理を示すフローチャートである。
【符号の説明】
【００５８】
１０００…放送受信装置、１０１０…ＴＶチューナ、１０２０…ＤＥＭＵＸ部、１０３０…リモコン受信部、１０４０…データ処理部、１０５０…内蔵型ＨＤ、１０５１…番組格納部、１０５２…番組情報格納部、１０５３…評価値格納部、１０５４…お気に入り情報格納部、１０５５…ユーザ情報格納部、１０６０…ＵＳＢインタフェース、１０７０…復号化部、１０８０…表示部、１０９０…スピーカ。
【図１】
2010103936.tif 000003
【図２】
2010103936.tif 000004
【図３】
2010103936.tif 000005
【図４】
2010103936.tif 000006
【図５】
2010103936.tif 000007
【図６】
2010103936.tif 000008
【図７】
2010103936.tif 000009
【図８】
2010103936.tif 000010
【図９】
2010103936.tif 000011
【図１０】
2010103936.tif 000012